(57)【特許請求の範囲】
【請求項１】
垂木とこの垂木の上部に固定される下野地板とによって形成される下野地部と、前記垂木の上方に配設される桟木とこの桟木の上部に固定される上野地板とによって形成される上野地部との間に、上方に通気層を形成するように断熱材が配設された屋根下地構造であって、
前記下野地部に固着される固着部と、前記桟木を両側方をガイドして上方から受け入れる受入部と、を有し、両側部に固定穴が設けられた桟木固定具と、
前記桟木と接合する接合部と、取り付けられた際に前記桟木の側方において前記断熱材と接触する支持部とを有する断熱材支持具と、を備え、
前記桟木固定具は、前記下野地部に前記垂木の上方において固着され、
前記桟木は、前記受入部に挿入され、固定具が前記固定穴を通して打ち込まれることによって、前記桟木固定具により固定され、
前記断熱材支持具は、前記桟木ごとに取り付けられ、前記接合部が接合具によって前記桟木に接合され、
前記断熱材支持具は、前記桟木に被せられる被せ片と、前記被せ片の両端部から下方に突出する下り片と、を備え、
前記被せ片の幅寸法は、前記桟木の幅寸法よりも大きく、
前記支持部を構成する前記下り片が前記断熱材に差し込まれて前記断熱材が支持されていることを特徴とする屋根下地構造。
【請求項２】
前記桟木固定具は、金属板が折り曲げ加工されて形成された金具であることを特徴とする請求項１に記載の屋根下地構造。
【請求項３】
前記固定穴は、前記桟木の長手方向に沿って開口した長穴であることを特徴とする請求項１又は２に記載の屋根下地構造。
【請求項４】
前記桟木固定具は、前記桟木の下部を受け止める受止部を有し、
前記桟木は、前記受止部に受け止められて支持されていることを特徴とする請求項１〜３のいずれか１項に記載の屋根下地構造。
【請求項５】
前記受止部は、前記桟木固定具の両側部に形成されていることを特徴とする請求項４に記載の屋根下地構造。
【請求項６】
前記受止部によって前記桟木が受け止められて形成された間隙に、補助断熱材が設けられていることを特徴とする請求項４又は５に記載の屋根下地構造。
【請求項７】
前記桟木固定具は、両側部に側方に突出する側出部を有し、
前記断熱材は、前記側出部により下方に押さえられて支持されていることを特徴とする
請求項１〜６のいずれか１項に記載の屋根下地構造。
【発明の詳細な説明】
【技術分野】
【０００１】
本発明は、屋根の下地構造に関する。
【背景技術】
【０００２】
家屋の屋根にあっては、屋内の温度が快適になるように、屋根を断熱構造にすることが知られている（例えば特許文献１参照）。屋根の断熱構造は、屋根の下地である野地を二重にして、その間に断熱材を配設することにより形成することができる。このような屋根の断熱構造は、新設する家屋の屋根に、あるいは既存の屋根のリフォームとして用いられるものである。
【０００３】
図９は、断熱性を有する屋根の下地構造の一例を示している。この屋根下地構造は、下野地部１と上野地部２との間に断熱材７が配設された構造を有する。下野地部１は、垂木５とこの垂木５の上部に固定される下野地板３とによって形成されている。下野地板３は垂木５に釘などによって固定されている。また、上野地部２は、垂木５の上方に配設される桟木６とこの桟木６の上部に固定される上野地板４とによって形成されている。上野地板４は桟木６に釘などによって固定されている。
【０００４】
桟木６の上面からは、釘やビスなどの固定部材５０が下方に打ち込まれることにより、桟木６が固定されている。固定部材５０は、桟木６及び下野地板３を貫通して垂木５に打ち込まれており、それにより、桟木６が下野地部１に固定され、下野地部１と上野地部２とが接合されている。
【０００５】
断熱材７は下野地部１を構成する下野地板３の上に載置されており、断熱材７の上方には、断熱材７と上野地板４との間の隙間によって通気層８が形成されている。断熱材７は、釘などの固定部材が表面（上面）から打ちこまれたり、両面接着性の粘着テープが下野地板３との界面に貼り付けられたりして下野地板３に固着されている。
【０００６】
このように、屋根の下地に断熱材７を配設することにより、屋根の断熱性を高めることができ、外気温の影響による家屋内の温度変動を少なくすることができる。また、通気層８が形成されることにより、湿気が上野地部２と下野地部１との間に入ったとしても、通気層８を通して湿気を外部に排気することができるので、上野地部２と下野地部１との間で湿気がこもることを抑制することができる。
【先行技術文献】
【特許文献】
【０００７】
【特許文献１】特開２０１１−１２２３７６号公報
【発明の概要】
【発明が解決しようとする課題】
【０００８】
図９のような屋根下地構造においては、断熱材７の施工を行って通気層８を確保するためには、構造部材である桟木６の厚み（上下方向の長さ）を厚くする必要がある。すなわち、桟木６は、下野地板３の上面から上野地板４の下面までの厚みのものが配設されるものであり、水平方向に隣り合う桟木６，６間における桟木６の厚み分の間隙において断熱材７と通気層８とを設けるために、桟木６の厚みを厚くするのである。そして、構造部材である桟木６は上面から固定部材５０が打ち込まれて下野地部１に固定されるものであり、厚い桟木６を固定するには、固定部材５０である釘やビスなども長尺のものが使用される。
【０００９】
ここで、長尺の固定部材５０を使用すると、構造部材である桟木６の据わりが悪くなったり、施工性が悪くなったり、施工品質が安定しなくなったりする、といった問題が発生する。また、桟木６を固定するのに、長尺のビスや釘を使用すると、桟木６が傾いて取り付けられやすくなるという問題が発生する。また、釘やビスを真っ直ぐに打ち込みにくいといった問題も発生する。桟木６が傾いて取り付けられたり、釘やビスが真っ直ぐに取り付けられないと、固定強度が弱くなってしまったり、断熱材７を敷き詰めて配設できなくなったりして、強度や断熱性の性能について十分な性能を発揮できなくなるという問題が生じてしまう。
【００１０】
特に、屋根のリフォームにおいては、既設の野地板（下野地板３）を剥がしたりせずに、既設の野地板を利用し、既存の構造部材である垂木５の上方に新規の構造部材である桟木６を固定することになる。そのため、既存の屋根下地構造（下野地部１）を破壊しないように構造部材を取り付けるためには、長尺の固定部材５０による固定が要求される。したがって、上記の問題は、屋根のリフォームにおいて重要な問題となっている。
【００１１】
本発明は、上記の事情に鑑みてなされたものであり、施工容易で、施工品質が安定し、固定強度が高く、断熱性と通気性に優れた屋根下地構造を提供することを目的とするものである。
【課題を解決するための手段】
【００１２】
本発明に係る屋根下地構造は、垂木とこの垂木の上部に固定される下野地板とによって形成される下野地部と、前記垂木の上方に配設される桟木とこの桟木の上部に固定される上野地板とによって形成される上野地部との間に、上方に通気層を形成するように断熱材が配設された屋根下地構造であって、前記下野地部に固着される固着部と、前記桟木を両側方をガイドして上方から受け入れる受入部と、を有し、両側部に固定穴が設けられた桟木固定具と、前記桟木と接合する接合部と、取り付けられた際に前記桟木の側方において前記断熱材と接触する支持部とを有する断熱材支持具と、を備え、前記桟木固定具は、前記下野地部に前記垂木の上方において固着され、前記桟木は、前記受入部に挿入され、固定具が前記固定穴を通して打ち込まれることによって、前記桟木固定具により固定され、前記断熱材支持具は、前記桟木ごとに取り付けられ、前記接合部が接合具によって前記桟木に接合され、前記断熱材支持具は、前記桟木に被せられる被せ片と、前記被せ片の両端部から下方に突出する下り片と、を備え、前記被せ片の幅寸法は、前記桟木の幅寸法よりも大きく、前記支持部を構成する前記下り片が前記断熱材に差し込まれて前記断熱材が支持されていることを特徴とするものである。
【００１３】
前記桟木固定具は、金属板が折り曲げ加工されて形成された金具であることが好ましい。
【００１４】
前記固定穴は、前記桟木の長手方向に沿って開口した長穴であることが好ましい。
【００１５】
前記桟木固定具は、前記桟木の下部を受け止める受止部を有し、前記桟木は、前記受止部に受け止められて支持されていてもよい。この場合、前記受止部は、前記桟木固定具の両側部に形成されていることが好ましい。また、前記受止部によって前記桟木が受け止められて形成された間隙に、補助断熱材が設けられていることが好ましい。
【００１６】
前記桟木固定具は、両側部に側方に突出する側出部を有し、前記断熱材は、前記側出部により下方に押さえられて支持されていてもよい。
【発明の効果】
【００１８】
本発明によれば、施工容易で、施工品質が安定し、固定強度が高く、断熱性と通気性に優れた屋根下地構造を得ることができる。
【図面の簡単な説明】
【００１９】
【図１】（ａ）は屋根下地構造の実施形態の一例を示す断面図、（ｂ）は桟木固定具の一例を示す斜視図である。
【図２】（ａ）は屋根下地構造の実施形態の一例を示す断面図、（ｂ）は桟木固定具の一例を示す斜視図である。
【図３】屋根下地構造の実施形態の一例を示す断面図である。
【図４】屋根下地構造の実施形態の一例を示す断面図である。
【図５】屋根下地構造の実施形態の一例を示す断面図である。
【図６】（ａ）〜（ｅ）は断熱材支持具の一例を示す斜視図である。
【図７】（ａ）〜（ｅ）は屋根下地構造の実施形態の一例を示す断面図である。
【図８】（ａ）〜（ｅ）は屋根下地構造の実施形態の一例を示す断面図である。
【図９】従来の屋根下地構造の一例を示す断面図である。
【発明を実施するための形態】
【００２０】
図１（ａ）は、屋根下地構造の実施形態の一例である。この屋根下地構造は、垂木５とこの垂木５の上部に固定される下野地板３とによって形成される下野地部１と、垂木５の上方に配設される桟木６とこの桟木６の上部に固定される上野地板４とによって形成される上野地部２との間に、断熱材７が配設された構造を有する。断熱材７は、上方に通気層８を形成するように設けられている。下野地部１は、垂木５と垂木５の上部に固定される下野地板３とによって形成されており、下野地板３は垂木５に釘やビスなどによって固定されている。また、上野地部２は、垂木５の上方に配設される桟木６とこの桟木６の上部に固定される上野地板４とによって形成されており、上野地板４は桟木６に釘やビスなどによって固定されている。
【００２１】
断熱材７は下野地部１を構成する下野地板３の上に載置されており、断熱材７の上方には、断熱材７と上野地板４との間の隙間によって通気層８が形成されている。断熱材７は、釘などの固定部材が表面（上面）から打ちこまれたり、両面接着性の粘着テープが下野地板３との界面に貼り付けられたりして下野地板３に固着されているものであってよい。
【００２２】
屋根下地構造では、このように、断熱材７を配設することにより、外気温との温度障壁を設けて家屋内の温度変動を少なくすることができ、屋根の断熱性を高めることができる。また、通気層８が形成されることにより、湿気が上野地部２と下野地部１との間に入ったとしても、通気層８を通して湿気を外部に排気することができるので、上野地部２と下野地部１との間で湿気がこもることを抑制することができ、通気性を高めることができる。
【００２３】
垂木５としては、断面矩形状の長尺の木材などを用いることができる。また、桟木６としては、断面矩形状の長尺の木材などを用いることができる。垂木５と桟木６とは同じ材料であってもよく、異なっていてもよい。垂木５及び桟木６は構造部材となるものである。桟木６は、垂木５の上方において、垂木５の長手方向に沿って長手方向が合わせられて配設される。桟木６と垂木５とが重なるように取り付けられることにより、強度の高い屋根下地構造を形成することができる。
【００２４】
下野地板３としては、平面視（板材表面と垂直な方向から見た場合）において矩形状の木製の板材を用いることができる。また、上野地板４としては、平面視（板材表面と垂直な方向から見た場合）において矩形状の木製の板材を用いることができる。下野地板３と上野地板４とは同じ材料であってもよく、異なっていてもよい。下野地板３及び上野地板４は、屋根の下地となる野地板として機能するものである。
【００２５】
屋根下地構造では、長尺の垂木５が長手方向と垂直な方向に複数本並べられて設置され、その上面に垂木５を架け渡して下野地板３が取り付けられることにより下野地部１が構成される。また、長尺の桟木６が長手方向と垂直な方向に複数本並べられて設置され、その上面に桟木６を架け渡して上野地板４が取り付けられることにより上野地部２が構成される。
【００２６】
新設の屋根においては、垂木５と桟木６とを同じ材料（角材）で簡単に構成することができる。その場合、部品点数を少なくすることができ、容易に屋根を施工することができる。もちろん、垂木５及び桟木６をそれぞれの特性に応じた材料で構成してもよい。また、新設の屋根においては、下野地板３と上野地板４とを同じ材料（板材）で簡単に構成することができる。その場合、部品点数を少なくすることができ、容易に屋根を施工することができる。もちろん、下野地板３及び上野地板４をそれぞれの特性に応じた材料で構成してもよい。
【００２７】
リフォームの屋根においては、垂木５及び下野地板３は既設の屋根に用いられているものを使用することができる。それにより、既設の屋根の下地構造をそのまま利用して、屋根の断熱構造及び通気構造を形成することができる。既設の屋根においては、一重の屋根で屋根に断熱材７が設けられていない場合があるが、屋根をリフォーム（改築）することにより、既設の屋根を断熱構造の屋根に変更することが可能になる。もちろん、屋根下地に損傷がある場合などにおいては、下野地部１の構築から行うようにしてもよい。なお、既存の屋根では、通常、外表面には瓦などの屋根表面部材が敷設されているが、この屋根表面部材を除去することにより、屋根下地を露出させることができる。そして、本形態では、既存の屋根下地構造を下野地部１として用いることができる。
【００２８】
断熱材７としては、プラスチック系断熱材や無機質繊維系断熱材などの断熱材７を用いることができる。プラスチック系断熱材としては、硬質ウレタンフォームなどが例示される。無機質繊維系断熱材としてはグラスウールなどが例示される。これらの断熱材７は、板状（プレート状）やパネル状になったものを使用することができる。なお、通常、プラスチック系断熱材の方が無機質繊維系断熱材よりも固いため、後述のように、断熱材７を固定する際は、プラスチック系断熱材の方がより固定強度を高くすることができる。
【００２９】
断熱材７は、下野地板３の上面に密着するように貼り付けられて、下野地板３に取り付けられている。下野地板３と断熱材７との間に隙間が形成されると、結露が生じやすくなるおそれがある。断熱材７は、並設される複数の桟木６の間を敷き詰めるようにして、下野地板３の表面に貼り付けられている。隣り合う桟木６の間に、パネル状の断熱材７を複数枚用いて敷き詰めるようにしてもよい。その際、サイズを合わせるため、適宜に断熱材７を裁断してもよい。桟木６との間、及び、隣り合う断熱材７の間にはできるだけ隙間が形成されないようして、断熱材７が取り付けられていることが好ましい。隙間が形成されると断熱性が低下するおそれがある。
【００３０】
そして、本形態の屋根下地構造では、図１（ｂ）に示すような、桟木固定具１０を備えている。この桟木固定具１０は、下野地部１に固着される固着部１１と、桟木６を両側方をガイドして上方から受け入れる受入部１２とを有している。また、桟木固定具１０は、両側部に固定穴１５が設けられている。図１（ａ）に示すように、この桟木固定具１０は、下野地部１に垂木５の上方において固着されている。桟木６は、受入部１２に挿入され、固定具４１が固定穴１５を通して打ち込まれることにより桟木固定具１０に固定されている。
【００３１】
このように、桟木６が、直接釘などが垂木５に打ちこまれて固定されるのではなく、桟木固定具１０を介して垂木５に固定されるので、長尺の釘やビスなどを用いなくても、短い釘やビスで桟木６を固定することができる。また、あらかじめ桟木固定具１０を固定してから、この桟木固定具１０に構造部材である桟木６を固定するため、釘やビスを打ち込みやすくなり、施工品質を安定させることができる。そのため、施工が容易になり、また、施工品質を安定させて、屋根下地構造を形成することができる。また、長尺の釘やビスを用いないので、釘やビスが斜め方向に打ち込まれることがなく、固定強度を高くすることができ、安定な屋根下地構造を形成することができる。
【００３２】
桟木固定具１０は、金属板が折り曲げ加工されて形成された金具であることが好ましい。それにより、金属板の加工により簡単に桟木固定具１０を形成することができる。また、桟木固定具１０を金属製にすると、強度高く固定することができる。この場合、桟木固定具１０は、いわば構造部材固定金具となる。なお、もちろん桟木固定具１０は、金属を溶接するなどして形成してもよい。金属板としては鋼板を用いることができる。金属板の厚みは、特に限定されるものではないが、例えば、０．５〜２ｍｍの範囲内のものであってよい。折り曲げ加工は、プレス成型によって行うことができるが、これに限定されるものではない。固定穴１５などの穴は、切り抜き加工やくり抜き加工によって行うことができる。桟木固定具１０は、複数の部材で形成してもよいが、金属材で一体化して形成した場合は、取扱いが容易になり、施工性が高まる。
【００３３】
図１（ｂ）の形態の桟木固定具１０は、矩形状の金属板が折り曲げられて形成されている。この桟木固定具１０は、水平方向（下野地板３の表面に沿う方向）に配置される固着片３１と、垂直方向（下野地板３の表面に垂直な方向）に配置される固定片３２とを備えて構成されている。固着片３１は、下野地板３の上面に当接される片であり、桟木固定具１０の下部（底部）に配置されている。固定片３２は、桟木６の側方をガイドし固定する片であり、桟木固定部１０の両側部に配置されている。固定片３２は、固着片３１の両側部から金属材が略垂直に折り曲げられて上方に突出して設けられている。桟木固定具１０は、全体として略Ｕ字状（倒れコ字状）に形成されている。金属材が折り曲げられて形成された各片（固着片３１及び固定片３２）は、平坦な片となっている。そして、固着片３１によって、下野地板３に固着される固着部１１が構成されている。また、二つの固定片３２の間によって、上方から挿入される桟木６を両側方でガイドして受け入れる受入部１２が構成されている。
【００３４】
固定穴１５は、固定片３２の中央に、固定片３２を貫通するように設けられている。固定穴１５は水平方向（幅方向）に貫通する穴である。この固定穴１５は、釘やビスなどの固定具４１を挿入して桟木６に打ち込むための穴である。固定穴１５に固定具４１が打ち込まれることにより、桟木６は受入部１２に挿入された状態で桟木固定具１０に固定される。それにより、桟木６は、垂木５の上方において下野地部１に固定される。固定穴１５は側方に貫通する穴であり、固定具４１は側方から桟木６に打ちこまれる。
【００３５】
固定穴１５は、桟木６の長手方向に沿って開口した長穴であることが好ましい。固定穴１５が、丸穴などの径が狭い穴になった場合、固定具４１を打ち込む位置は固定穴１５によって規定されているため、位置を選んで固定具４１を打ち込むことができなくなる。ここで、桟木６は、木材によって構成されるものであるため、釘やビスを打ちこむ位置が打ち込み固定するのにより適した位置になった方が好ましい。また、建物の構造上、桟木６の位置によっては、固定具４１を打ち込みにくい場合がある。そこで、固定穴１５が長穴で形成されていれば、固定具４１の打ちこむ位置を調整することができ、より強度高く桟木６を固定することができる。また、長穴に複数の固定具４１を打ち込むこともでき、その場合、取り付け強度を高めることができる。
【００３６】
なお、固定穴１５は複数設けられていてもよい。固定穴１５が複数設けられていると、複数の固定穴１５に固定具４１を打ち込めば、取り付け強度を高めることができる。また、複数の固定穴１５のいずれかを用いて固定具４１を打ち込むようにすれば、桟木６の状態や下野地部１の状態などに合わせて適宜の固定穴１５を選択して、固定具４１を打ち込むことができる。固定穴１５を複数設ける場合は、横方向（桟木６の長手方向に沿った方向）に並べてもよいし、縦方向（上下方向）に並べてもよい。
【００３７】
固着片３１の中央には、固着片３１を貫通する固着穴１６が設けられている。固着穴１６は上下方向に貫通する穴である。この固着穴１６は、釘やビスなどの固着具４２を挿入して垂木５に打ち込むための穴である。固着穴１６に固着具４２が打ち込まれることにより、桟木固定具１０は、下野地板３を介して垂木５に固着される。本形態では、固着穴１６は丸穴として設けられている。
【００３８】
なお、固着穴１６は複数設けられていてもよい。固着穴１６が複数設けられていると、複数の固着穴１６に固着具を打ち込めば、取り付け強度を高めることができる。また、複数の固着穴１６のいずれかを用いて固着具４２を打ち込むようにすれば、垂木５や下野地板３などの下地の状態に合わせて適宜の固着穴１６を選択して、固着具４２を打ち込むことができる。固着穴１６を複数設ける場合は、幅方向と垂直な方向（桟木６の長手方向に沿った方向）に並べることができる。
【００３９】
受入部１２の幅寸法（水平方向の長さ）、すなわち、一方の固定片３２から他方の固定片３２までの間の距離は、桟木６の幅よりも大きいものである。それにより、桟木６を桟木固定具１０に受け入れて挿入することができる。受入部１２の幅寸法は、桟木６の幅寸法と略同じかやや大きい程度にすることが好ましい。それにより、桟木６を受入部１２に両側方をガイドして挿入することができ、また固定片３２を桟木６の両側面に当接させて固定することができる。なお、受入部１２の幅寸法は大きい方が桟木６を挿入しやすいが、受入部１２の幅寸法が大きくなりすぎると、桟木６と固定片３２との間に隙間が形成されるおそれがある。したがって、取り付け強度を高めるためには、取り付けた際に、両側の固定片３２が桟木６の側面に当接する程度の寸法であることが好ましい。なお、両側部の固定片３２間の距離は、桟木固定具１０の幅寸法と考えることができる。また、両側部の固定片３２間の距離は、固着片３１の幅寸法と考えることができる。
【００４０】
固定片３２の高さ寸法（上下方向の長さ）は、桟木６の厚みと同じかそれよりも小さいものであってよい。例えば、固定片３２の高さ方向の寸法を桟木６の厚みの１／４〜３／４の範囲にすることができるが、これに限定されるものではない。固定片３２の高さが低いと、固定強度を高めることができなくなるおそれがある。また、固定片３２の高さが桟木６の厚み以上になると、上野地板４の設置を妨げるおそれがある。固定片３２の高さは、断熱材７の厚みより大きくてもよいし、断熱材７の厚みより小さくてもよいし、断熱材７の厚みと同じであってもよい。
【００４１】
桟木固定具１０の長さ寸法、すなわち、屋根下地に取り付けられた際に桟木６の長手方向と同じ方向となる長さは、特に限定されるものではないが、例えば、桟木６の幅寸法よりも長くすることができる。また、桟木固定具１０の長さ寸法は、桟木６よりも短い短尺にすることができ、例えば、桟木６の長さの１／５以下、又は、１／１０以下などにすることができる。桟木固定具１０が短尺となることにより、複数の桟木固定具１０によって長尺の桟木６を複数個所で受け入れることができる。
【００４２】
桟木固定具１０は、垂木５及び桟木６の長手方向に一定のピッチ（間隔）で設けられることが好ましい。複数の桟木固定具１０が一定のピッチで設けられることにより、取り付け強度を高め、施工品質を安定にすることができる。また、１本の桟木６に対し、複数（例えば２個、３個、４個又は５個）の割合で桟木固定具１０を取り付ければ、固定強度を高めることができる。また、水平方向（垂木５及び桟木６の長手方向と垂直な方向）に並列された垂木５及び桟木６に対しては、桟木固定具１０は、略同じ位置で設けられるようにすることが好ましい。それにより、取り付け強度を高めることができる。
【００４３】
図１（ａ）の屋根下地構造は、下野地部１の上面に桟木固定具１０を配置して固着具４２を打ち付け、桟木固定具１０の受入部１２に桟木６を挿入し、固定具４１を桟木固定具１０に打ち付けて桟木６を固定することによって形成することができる。断熱材７の配設は、桟木６の固定後に、並設する桟木６の間における下野地板３の上面に断熱材７を敷き詰めることによって行うことができる。断熱材７の固定は、粘着テープで接着したり、釘やビスなどの固定部材を打ちつけたりして行うことができる。上野地板４は、上面から釘やビスなどを桟木６に打ちこむことによって桟木６に取り付けることができる。
【００４４】
こうして、図１（ａ）のような屋根下地構造が形成される。このような屋根下地構造は、上部に瓦などの屋根表面材が敷設されることによって、建物の屋根を形成することができるものである。この屋根は、既築住宅における屋根断熱のリフォームや、屋根通気工法に適用することができるものである。
【００４５】
図２（ａ）は、屋根下地構造の実施形態の他の一例を示している。この屋根下地構造では、図２（ｂ）に示すような、桟木固定具１０を備えている。この桟木固定具１０は、下野地部１に固着される固着部１１と、桟木６を両側方をガイドして上方から受け入れる受入部１２とを有している。また、桟木固定具１０は、両側部に固定穴１５が設けられている。図２（ａ）に示すように、この桟木固定具１０は、下野地部１に垂木５の上方において固着されている。桟木６は、受入部１２に挿入され、固定具４１が固定穴１５を通して打ち込まれることにより桟木固定具１０に固定されている。
【００４６】
このように、桟木６が、直接釘などが垂木５に打ちこまれて固定されるのではなく、桟木固定具１０を介して垂木５に固定されるので、長尺の釘やビスなどを用いなくても、短い釘やビスで桟木６を固定することができる。また、あらかじめ桟木固定具１０を固定してから、この桟木固定具１０に構造部材である桟木６を固定するため、釘やビスを打ち込みやすくなり、施工品質を安定させることができる。そのため、施工が容易になり、また、施工品質を安定させて、屋根下地構造を形成することができる。また、長尺の釘やビスを用いないので、釘やビスが斜め方向に打ち込まれることがなく、固定強度を高くすることができ、安定な屋根下地構造を形成することができる。
【００４７】
また、図２（ｂ）の桟木固定具１０は、桟木６の下部を受け止める受止部１３を有している。そして、図２（ａ）に示すように、桟木６は、受止部１３に受け止められて支持されている。受止部１３は、桟木固定具１０の上下方向の中央部に設けられている。したがって、桟木６が桟木固定具１０に受け止められて支持されるので、桟木６の厚みを薄くすることができ、厚みの方向の長さが短い細い部材で桟木６を構成することができる。そのため、材料のコストダウンを図り、効率よく屋根下地構造を形成することができる。また、図２（ｂ）の桟木固定具１０では、受止部１３は、桟木固定具１０の両側部に形成されている。それにより、桟木６を両側部において受け止めることができ、固定強度を高めることができる。
【００４８】
桟木固定具１０は、図１（ｂ）の形態と同様に、金属板が折り曲げ加工されて形成された金具であることが好ましい。それにより、簡単に作製することができ、施工が容易になり、さらに、取り付け強度を高めることができる。
【００４９】
図２（ｂ）の形態の桟木固定具１０は、矩形状の金属板が折り曲げられて形成されている。この桟木固定具１０は、水平方向（下野地板３の表面に沿う方向）に配置される固着片３１及び受止片３４と、垂直方向（下野地板３の表面に垂直な方向）に配置される固定片３２及び上り片３３とを備えて構成されている。桟木固定具１０は、中央から両側端部に向かって、金属板の折り曲げにより、固着片３１、上り片３３、受止片３４、固定片３２の順に配置され、全体として略Ｕ字状（倒れコ字状）に形成されている。
【００５０】
固着片３１は、下野地板３の上面に当接される片であり、桟木固定具１０の下部（底部）に配置されている。固定片３２は、桟木６の側方をガイドし固定する片であり、桟木固定部１０の両側部に配置されている。そして、固着片３１と固定片３２と間に上り片３３と受止片３４とが設けられている。上り片３３は、固着片３１の両側部から金属材が略垂直に折り曲げられて上方に突出して設けられている。受止片３４は、上り片３３の上方から金属材が略垂直に折り曲げられて外側方に突出して設けられている。固定片３２は、受止片３４の側端部から金属材が略垂直に折り曲げられて上方に突出して設けられている。金属材が折り曲げられて形成された各片（固着片３１、上り片３３、受止片３４、固定片３２）は、平坦な片となっている。
【００５１】
そして、固着片３１によって、下野地板３に固着される固着部１１が構成されている。また、二つの固定片３２の間によって、上方から挿入される桟木６を両側方でガイドして受け入れる受入部１２が構成されている。また、受止片３４によって、桟木６の下部を受け止める受止部１３が構成されている。
【００５２】
図２（ｂ）に示すように、桟木固定具１０は、上り片３３、受止片３４及び固定片３２によって構成される両側部の片が段状に折れ曲がっており、両側部に外側方に広がる段部が形成されている。そして、この段部によって受止部１３を構成し、桟木６の下部を受け止めている。したがって、受止部１３が段部として形成されることにより、簡単に受止部１３を構成して、桟木６を受け止めることができる。また、段になっているので、桟木６の荷重を上り片３３で受け止めることができ、内側方に突出した片を設けるなどの場合よりも強固に桟木６を受け止めることができる。桟木６は、上り片３３の高さ分、下野地板３よりも上方に配置される。したがって、上り片３３は、桟木６の厚みを小さくするためのスペーサとしての機能を有する。
【００５３】
ところで、図２（ｂ）の形態の桟木固定具１０では、受止部１３が両側部に形成されているが、受止部１３は片方の側部のみに設けられるものであってもよい。片側のみに受止部１３が設けられている場合でも、桟木６を受け止めて支持することができる。例えば、桟木固定具１０として、一方の側部が、図１（ｂ）の形態のような平坦な片の構造を有し、他方の側部が、図２（ｂ）の形態のような段部を備えた片の構造を有するものを用いてもよい。その場合、一方の側部から他方の側部まで、固定片３２（固定長片）、固着片３１、上り片３３、受止片３４、固定片３２（固定短片）の順に片が配置されることになる。両側の片における固定穴１５の位置は同じであってよい。そして、この桟木固定具１０では、受止部１３は、桟木固定具１０の片側の側部に形成されることになる。なお、受止部１３は、側部に設けられるものに限られず、例えば、固着片３１の幅方向の中央部を上方に突出させて設けることもできる。
【００５４】
ここで、図２（ａ）に示すように、図２（ｂ）の形態の桟木固定具１０を用いた場合、受止部１３によって桟木６が受け止められることによって間隙が形成される。この間隙は、桟木６の下方において桟木６に沿って形成される。このように間隙が形成されると、断熱材７で下屋根部１を覆わない部分が形成され、断熱性が低下するおそれがある。したがって、この間隙に補助断熱材４７が設けられていることが好ましい。
【００５５】
図３は、屋根下地構造の実施形態の他の一例を示している。図３の屋根下地構造は、図２（ｂ）に示す形態の桟木固定具１０を用い、受止部１３によって桟木６が受け止められて形成された間隙に、補助断熱材４７を配設しているものである。それ以外は、図２（ａ）の屋根下地構造と同様の構成を有している。
【００５６】
図２（ｂ）の形態の桟木固定具１０を用いた場合、隣り合う桟木６の間に断熱材７を配設するようにすると、桟木６の下方における桟木固定具１０の配設されていない部分に、断熱材７が設けられないことになる。しかしながら、受止部１３によって桟木６が受け止められて形成された間隙に、補助断熱材４７を設けることにより、熱橋を防止することができ、断熱性を高めることができる。また、断熱材７の設けられていない隙間に、補助断熱材４７が充填されるので結露を抑制することができる。
【００５７】
補助断熱材４７は、桟木固定具１０が取り付けられていない位置の桟木６の下方の隙間に少なくとも設けられることが好ましい。その場合、補助断熱材４７は、下野地板３と桟木６とに挟まれた間隙に設けられる。桟木固定具１０は桟木６の長さに比べて短く形成されているため、桟木固定具１０以外の部位の桟木６の下方の隙間に補助断熱材４７を設けるようにすれば、桟木６の下方に形成された隙間の多くを補助断熱材４７で充填することができ、断熱性が低下することを抑制することができる。
【００５８】
補助断熱材４７は、桟木６の下方の全体に設けられることがより好ましい。すなわち、桟木固定具１０が設けられている位置である桟木固定具１０と桟木６とに囲まれた間隙にも補助断熱材４７を設けるようにするものである。桟木固定具１０が配置されている空間にも補助断熱材４７を設けることにより、熱橋をさらに防止することができ、断熱性をさらに向上させることができる。また、隙間なく断熱材７及び補助断熱材４７を充填した場合には、結露による不具合の発生を高く抑制することができる。
【００５９】
補助断熱材４７の材料は、断熱材７と同じものを用いることができる。補助断熱材４７は、断熱材７を切り出して形成してもよいし、サイズ違いのものを別途形成するようにしてもよい。また、桟木６の下方に配設する補助断熱材４７は、断熱材７と一体化したものであってもよい。この場合、断熱材７の端部が補助断熱材４７として機能する。例えば、断熱材７の端部に、桟木６と桟木固定具１０とが食い込む分だけ上部及び側部に切り欠き部を設け、断熱材７の端部を桟木６と下野地板３との間に挿入することにより、断熱材７（補助断熱材４７）を桟木６の下方に設けることができる。また、桟木固定具１０によって囲まれた間隙に設ける補助断熱材４７は、桟木固定具１０に囲まれる間隙の長さ、厚み、幅と、略同じ長さ、厚み、幅のサイズのものを使用することができる。あるいは、桟木６の長手方向に沿った長さが桟木固定具１０の長さよりも長い長尺の補助断熱材４７を用い、補助断熱材４７の長手方向の端部を桟木固定具１０によって形成された間隙に挿入して補助断熱材４７を設けるようにしてもよい。このとき、複数の桟木固定具１０を跨いで補助断熱材４７が設けられてもよい。また、例えば、桟木６の長手方向に沿った長さが断熱材７の長さと同じ長さの補助断熱材４７を用いてもよい。また、断熱材７の端部に、桟木６の下方に挿入するための切り欠きと、桟木固定具１０を食い込ませるための切り込みとを入れて、補助断熱材４７を断熱材７と一体化して形成してもよい。その場合、切り欠きと切り込みの入った断熱材７の端部を、桟木６の下方に挿入するとともに、桟木固定具１０に食い込ませて断熱材７を配設することができる。
【００６０】
図２（ｂ）の桟木固定具１０は、両側部に側方に突出する側出部１４が形成されている。側出部１４は、桟木固定具１０の上下方向の中央部に設けられている。側出部１４は、桟木固定具１０の両側部の片が段状に外側方に折れ曲がって形成された段部によって構成されている。段状になることにより、簡単な構成で側出部１４を構成することができる。また、両側の片を段状に折り曲げて段を形成することにより、受止部１３と側出部１４とを同時に形成することができ、側出する片を別途設けるなどする場合よりも簡単に側出部１４を形成することができる。
【００６１】
側出部１４が設けられた桟木固定具１０を用いた屋根下地構造においては、断熱材７は、側出部１４により下方に押さえられて支持されていることが好ましい。
【００６２】
図４は、屋根下地構造の実施形態の他の一例を示している。この屋根下地構造では、図２（ｂ）に示すような、桟木固定具１０を備えている。そして、図４の形態の屋根下地構造では、断熱材７の端部が桟木固定具１０の側出部１４によって下方に押さえてられている。それ以外は、図２（ａ）の屋根下地構造と同様の構成を有している。
【００６３】
屋根下地構造においては、断熱材７の施工を行って通気層８を確保するためには、断熱材７が下野地板３にできるだけ密着して配設されることが好ましい。すなわち、断熱材７が浮いたりずれたりすると、通気層８の厚みが薄くなってしまったり、通気層８が遮断されたりしてしまい、十分な通気性を発揮することができなくなってしまうおそれがある。また、断熱材７と躯体を構成する下野地板３との間に隙間が形成されると、この隙間の部分において結露が発生する可能性がある。
【００６４】
そこで、図４の形態では、桟木固定具１０の両側部に設けられた側出部１４が、断熱材７の端部を下方に押さえて支持するようにしている。それにより、断熱材７が固定されるので、断熱材７のずれや浮きを抑制することができる。
【００６５】
図２（ｂ）の形態の桟木固定具１０においては、側出部１４は受止片３４が側方に突出することによって設けられている。すなわち、側出部１４は、側部に配置された片の段部によって構成されている。そして、側出部１４の下方には窪みが形成されている。したがって、この窪みに断熱材７をはめ込むことで、断熱材７を簡単に押さえつけることができる。
【００６６】
断熱材７をはめ込む場合、断熱材７としてプラスチック系断熱材を用いることが好ましい。プラスチック系断熱材の方がはめ込みやすいため、より高い効果を期待することができる。断熱材７のはめ込みは、桟木固定具１０の形状に合わせた切り欠き部を設けるようにしてもよいが、断熱材７を変形させて押さこんではめ込むことが好ましい。それにより、より強い押さえこみ力を得ることができる。
【００６７】
図５は、屋根下地構造の実施形態の他の一例を示している。この屋根下地構造では、図２（ｂ）に示す形態の桟木固定具１０を備えている。そして、図５の形態の屋根下地構造では、受止部１３によって桟木６が受け止められて形成された間隙に、補助断熱材４７が設けられており、断熱材７の端部が桟木固定具１０の側出部１４によって下方に押されている。それ以外は、図２（ａ）の屋根下地構造と同様の構成を有している。すなわち、図５の形態の屋根下地構造は、図２、図３及び図４の形態の構造を合わせもつものである。したがって、さらに、固定強度に優れ、断熱性が高い屋根下地構造を形成することができる。
【００６８】
図２（ｂ）の桟木固定具１０においては、固定穴１５は、固定片３２の中央に、固定片３２を貫通するように設けられている。また、固定穴１５は、桟木６の長手方向に沿うように開口した長穴として設けられている。なお、固定穴１５は複数設けられていてもよい。また、固着片３１の中央には、固着片３１を貫通する固着穴１６が設けられている。なお、固着穴１６は複数設けられていてもよい。
【００６９】
受入部１２の幅寸法（水平方向の長さ）、すなわち、一方の固定片３２から他方の固定片３２までの間の距離は、桟木６の幅よりも大きいものである。それにより、桟木６を桟木固定具１０に受け入れて挿入することができる。受入部１２の幅寸法は、桟木６の幅寸法と略同じかやや大きい程度にすることが好ましい。それにより、桟木６を受入部１２に両側方をガイドして挿入することができ、また固定片３２を桟木６の両側面に当接させて固定することができる。なお、受入部１２の幅寸法は大きい方が桟木６を挿入しやすいが、受入部１２の幅寸法が大きくなりすぎると、桟木６と固定片３２との間に隙間が形成されるおそれがある。したがって、取り付け強度を高めるためには、取り付けた際に、両側の固定片３２が桟木６の側面に当接する程度の寸法であることが好ましい。なお、両側部の固定片３２間の距離は、桟木固定具１０の幅寸法と考えることができる。
【００７０】
固着片３１の幅寸法は、桟木６の幅寸法よりも小さいものにすることができる。それにより、両側部に配置される上り片３３を桟木６の下方に配置させることができ、受止部１３で受け止めた荷重を上り片３３と固着片３１とで支えることができる。固着片３１の幅寸法は、小さすぎると固定強度が弱くなるため、例えば、桟木６の幅の１／２以上、又は、２／３以上にすることができるが、これに限定されるものではない。
【００７１】
受止片３４の幅寸法は、桟木６を受け止めることができれば、特に限定されるものではないが、小さすぎると桟木６の支持強度が弱くなるため、例えば、桟木６の幅の１／１０以上、又は、１／６以上にすることができる。受止片３４の幅寸法は、桟木６の幅の１／４以下であってよいが、これに限定されるものではない。本形態では、各片は垂直に折れ曲がって形成されているため、固着片３１の幅と、二つの受止片３４の幅との合計が、桟木固定具１０の幅寸法となる。
【００７２】
固定片３２の高さ寸法（上下方向の長さ）は、桟木６の厚みと同じかそれよりも小さいものであってよい。例えば、固定片３２の高さ方向の寸法を桟木６の厚みの１／４〜３／４の範囲にすることができるが、これに限定されるものではない。固定片３２の高さが低いと、固定強度を高めることができなくなるおそれがある。また、固定片３２の高さが桟木６の厚み以上になると、上野地板４の設置を妨げるおそれがある。
【００７３】
上り片３３の高さ寸法（上下方向の長さ）は、断熱材７の厚み以下にすることができる。上り片３３の高さ寸法が断熱材７の厚みよりも大きいと、下野地板３と上野地板４との間の距離が大きくなりすぎるおそれがある。また、図４及び図５の形態では、上り片３３の高さ寸法が断熱材７の厚み以下になることにより、側出部１４によって断熱材７を押さえ込んで支持することが可能になる。また、上り片３３の高さ寸法が断熱材７の厚みと略同じであってもよい。上り片３３の高さ寸法が断熱材７の厚みと略同じになると、側出部１４で断熱材７を簡単に固定することができる。
【００７４】
桟木固定具１０の長さ寸法は、図１（ｂ）の形態と同様のものにすることができる。
【００７５】
桟木固定具１０は、垂木５及び桟木６の長手方向に一定のピッチ（間隔）で設けられることが好ましい。複数の桟木固定具１０が一定のピッチで設けられることにより、取り付け強度を高め、施工品質を安定にすることができる。
【００７６】
図２（ａ）及び図３〜５の屋根下地構造は、下野地部１に桟木固定具１０を配置して固着具４２を打ち付け、桟木固定具１０の受入部１２に桟木６を挿入して、受止部１３に当接させて仮固定し、固定具４１を桟木６に打ち込むことによって形成することができる。断熱材７の配設は、桟木６の固定後に、並設する桟木６の間における下野地板３の上面に断熱材７を敷き詰めることによって行うことができる。
【００７７】
このとき、図３及び図５の屋根下地構造を形成する場合には、補助断熱材４７を桟木６の下方に挿入することによって補助断熱材７０の配設を行うことができる。補助断熱材４７の設置は、断熱材７の設置よりも前に行ってもよいし、断熱材７を設置しながら順次に行ってもよい。例えば、桟木６の一側方に断熱材７を設置した後、補助断熱材４７を断熱材７が設置された桟木６の下方に他側方から挿入して設置し、その後、桟木６の他側方に断熱材７を設置することにより、断熱材７及び補助断熱材４７を設置することができる。断熱材７及び補助断熱材４７を順次に設置するようにすれば、簡単に隙間なく充填して断熱材７（補助断熱材４７）を敷き詰めることができる。また、桟木固定具１０で囲まれた間隙に補助断熱材４７を設置する場合は、補助断熱材４７を桟木６の長手方向に沿って、桟木固定具１０と桟木６との間に挿入することにより設置することができる。あるいは、桟木６を取り付けるよりも先に、補助断熱材４７を配設してもよい。
【００７８】
また、図４及び図５の屋根下地構造を形成する場合には、断熱材７の端部を側出部１４の下方に挿入して、断熱材７の端部が下野地板３と桟木固定具１０の側出部１４との間に挟まれるようにして形成することができる。
【００７９】
上野地板４は、断熱材７の配設後に、上面から釘やビスなどを桟木６に打ちこむことによって桟木６に取り付けることができる。
【００８０】
こうして、図２（ａ）及び図３〜５のような屋根下地構造が形成される。このような屋根下地構造は、上部に瓦などの屋根表面材が敷設されることによって、建物の屋根を形成することができるものである。この屋根は、既築住宅における屋根断熱のリフォームや、屋根通気工法に適用することができるものである。
【００８１】
上記で説明したように、屋根下地構造にあっては、断熱材７が浮いたりずれたりしやすく、断熱材７をできるだけ強固に固定することが重要である。
【００８２】
ここで、断熱材７の固定を釘などの固定部材や粘着テープなどによって行った場合、断熱材７のズレ、浮きが生じやすい。釘などの固定部材や粘着テープでは密着させて断熱材７を固定しにくいのである。
【００８３】
また、釘によって断熱材７を固定した場合、施工品質が安定しない。例えば、打ち込む力加減により、斜めに打ち込んだり、打ち込みすぎてしまったりするなどの問題が発生する。特に、断熱材７は、繊維などによって形成されており、木材などに比べると比較的柔軟性のある材質であるため、釘を一定の方向に打ち込むことが難しく、また、多少変形性があることが多いため、釘の打ち込み量を同じにすることが難しい。また、釘の打ち込みでは、断熱材７を貫通して穴を形成するため、断熱材７に欠損が生じるおそれも大きくなる。そのため、釘による固定は、施工品質が安定しにくいのである。
【００８４】
また、粘着テープにより断熱材７を固定した場合、粘着性が弱いと断熱材７が取れてしまい十分な断熱性能、通気性能が発揮されなくなる。特に粘着テープは経時的に接着力が弱まる場合があり、施工後の屋根において粘着テープの接着力が弱まって断熱材７がズレたり浮いてしまったりすると、断熱性を発揮できないばかりか、修理も難しくなり、品質不良の屋根を形成してしまうことになる。
【００８５】
そこで、屋根下地構造にあっては、以下に説明する断熱材支持具２０を用いて断熱材７を支持固定することがより好ましい。それにより、断熱材７を固定して断熱材７が浮いたりずれたりするのを抑制することができ、断熱性と通気性を高めることができる。
【００８６】
図６（ａ）〜（ｅ）は、断熱材支持具２０の各一例を示している。図７（ａ）〜（ｅ）は、図１（ｂ）の形態の桟木固定具１０を用いた屋根下地構造に、図６（ａ）〜（ｅ）の断熱材支持具２０を適用した各一例を示している。また、図８（ａ）〜（ｅ）は、図２（ｂ）の形態の桟木固定具１０を用いた屋根下地構造に、図６（ａ）〜（ｅ）の断熱材支持具２０を適用した各一例を示している。
【００８７】
断熱材支持具２０は、桟木６と接合する接合部２１と、取り付けられた際に桟木６の側方において断熱材７と接触する支持部２２とを有するものである。この断熱材支持具２０は、接合具４３によって桟木６に接合されている。また、断熱材７は、支持部２２によって下方に押さえられて支持されている。
【００８８】
このように、断熱材７が断熱材支持具２０によって固定されているので、断熱材７の取り付け固定強度を高めることができ、断熱材７がズレたり浮いたりすることを抑制することができる。また、断熱材支持具２０を構造部材である桟木６に固定するだけで、断熱材７を固定できるため、施工の簡易化を図ることができる。また、断熱材支持具２０は、構造部材である桟木６に固定するので、断熱材７を釘で固定する場合のような、釘を打ち込みすぎたり斜めに打ち込んだりといった施工品質のバラツキを抑制することができる。そのため、施工が容易になり、また、施工品質を安定させて、屋根下地構造を形成することができる。
【００８９】
断熱材支持具２０は、金属板が折り曲げ加工されて形成された金具であることが好ましい。金属板の加工により簡単に断熱材支持具２０を形成することができる。また、金属製のため、強度高く固定することができる。この場合、断熱材支持具２０は、いわば断熱材固定金具となる。なお、もちろん断熱材支持具２０は、金属を溶接するなどして形成してもよい。金属板としては鋼板を用いることができる。金属板の厚みは、特に限定されるものではないが、例えば、０．５〜２ｍｍの範囲内のものであってよい。折り曲げ加工は、プレス成型によって行うことができるが、これに限定されるものではない。接合穴２４などの穴は、切り抜き加工やくり抜き加工によって行うことができる。桟木固定具１０は、複数の部材で形成してもよいが、金属材で一体化して形成した場合は、取扱いが容易になり、施工性が高まる。
【００９０】
また、断熱材支持具２０は、桟木６を跨いで被さって接合されていてもよい。桟木６に被さることにより、一体化された断熱材支持具２０で桟木６の両側方の断熱材７を容易に一度に固定することができる。
【００９１】
断熱材７は、断熱材支持具２０の支持部２２が差し込まれて支持されていることが好ましい一形態である。断熱材支持具２０の支持部２２を差し込んで断熱材７を支持することにより、強度高く断熱材７を固定することができ、断熱材７が浮いたりずれたりすることを高く抑制することができる。
【００９２】
また、断熱材７は、断熱材支持具２０の支持部２２により面状に下方に押えられて支持されていることが好ましい一形態である。断熱材支持具２０の支持部２２を面状に押し込んで断熱材７を支持することにより、強度高く断熱材７を固定することができ、断熱材７が浮いたりずれたりすることを高く抑制することができる。
【００９３】
断熱材支持具２０を用いて断熱材７を支持する場合、断熱材７としては、無機質繊維系断熱材よりもプラスチック系断熱材を用いることが好ましい。プラスチック系断熱材を用いることにより、支持部２２によってより強固に支持することができ、断熱材７の浮きやずれをより抑制することができる。
【００９４】
図６（ａ）は、断熱材支持具２０の形態の一例を示している。図６（ａ）の断熱材支持具２０と、図１（ｂ）の桟木固定具１０とを用いることにより、図７（ａ）の屋根下地構造を形成することができる。また、図６（ａ）の断熱材支持具２０と、図２（ｂ）の桟木固定具１０とを用いることにより、図８（ａ）の屋根下地構造を形成することができる。
【００９５】
図６（ａ）の形態の断熱材支持具２０は、矩形状の金属板が折り曲げられて形成されている。この断熱材支持具２０は、水平方向（下野地板３の表面に沿う方向）に配置される被せ片２５と、下方に突出する下り片２６とを備えて構成されている。被せ片２５は、桟木６を幅方向に跨ぎ、桟木６の上方に被せられる片であり、断熱材支持具２０の上部に配置されている。下り片２６は、被せ片２５の両側部から金属材が折り曲げられて下方に突出して設けられており、断熱材支持具２０の両側部に配置されている。下り片２６は、被せ片２５の側端が略垂直に折り曲げられており、断熱材支持具２０は、全体として略逆Ｕ字状（左回り倒れコ字状）に形成されている。金属材が折り曲げられて形成された各片（被せ片２５及び下り片２６）は、平坦な片となっている。そして、被せ片２５によって、桟木６に接合される接合部２１が構成されている。また、下り片２６の下端部によって、支持部２２が構成されている。
【００９６】
本形態では、屋根下地構造が形成された際には、支持部２２を構成する下り片２６の先端部は、断熱材７に差し込まれている。下方に突出する下り片２６を断熱材７に差し込むことにより、断熱材７を下方に強く押圧して強固に支持し固定することができる。また、差し込みによって支持することにより横ずれを抑制することができる。
【００９７】
被せ片２５の中央には、被せ片２５を貫通する接合穴２４が設けられている。接合穴２４は上下方向に貫通する穴である。この接合穴２４は、釘やビスなどの接合具４３を挿入して桟木６に打ち込むための穴である。接合穴２４に接合具４３が打ち込まれることにより、断熱材支持具２０は桟木６に接合される。本形態では、接合穴２４は丸穴として設けられている。
【００９８】
なお、接合穴２４は複数設けられていてもよい。接合穴２４が複数設けられていると、複数の接合穴２４に接合具４３を打ち込めば、取り付け強度を高めることができる。また、複数の接合穴２４のいずれかを用いて接合具４３を打ち込むようにすれば、桟木６などの下地の状態に合わせて適宜の接合穴２４を選択して、接合具４３を打ち込むことができる。接合穴２４を複数設ける場合は、幅方向と垂直な方向（桟木６の長手方向に沿った方向）に並べることができる。
【００９９】
被せ片２５の幅寸法、すなわち、一方の下り片２６から他方の下り片２６までの距離は、桟木６の幅寸法よりも大きいものであることが好ましい。それにより、下り片２６の先端で構成される支持部２２を桟木６の側方に配置させることができる。被せ片２５の幅寸法は、桟木６の幅寸法の２倍以上、又は、３倍以上にすることができる。被せ片２５の幅寸法の上限は、特に限定されるものではないが、長すぎると施工性が低下するおそれがあるので、例えば、桟木６の幅寸法の１０倍以下、又は、５倍以下であってもよい。
【０１００】
本形態の場合、下り片２６は、被せ片２５に対して垂直に下方に突出しているため、一方の下り片２６の先端と他方の下り片２６の先端との間の距離、すなわち、両側部の支持部２２間の距離は、被せ片２５の幅寸法と等しい。ただし、下り片２６は、外側方に、又は、内側方に、傾斜して折れ曲がって下方に突出していてもよい。その場合、支持部２２間の距離は、被せ片２５の幅とは異なるものとなる。そして、支持部２２間の距離は、例えば、桟木６の幅寸法の２倍以上にすることができる。支持部２２間の距離が桟木６の幅よりも大きくなるほど、断熱材７を桟木６の近くではなく離れた位置で固定することができ、断熱材７の固定強度を高めることができる。支持部２２間の距離の上限は、特に限定されるものではないが、長すぎると施工性が低下するおそれがあるので、例えば、桟木６の幅寸法の１０倍以下、又は、５倍以下であってもよい。
【０１０１】
下り片２６の高さ寸法（上下方向の長さ）は、下り片２６の下端部が断熱材７に差し込まれる程度の長さにすることが好ましく、例えば、通気層８の厚みよりも大きく、下野地板３の上面と上野地板４の下面との間の距離よりも小さいものであってよい。
【０１０２】
断熱材支持具２０の長さ寸法、すなわち、屋根下地に取り付けられた際に桟木６の長手方向と同じ方向となる長さは、特に限定されるものではないが、例えば、桟木６の幅寸法よりも長くすることができる。また、断熱材支持具２０の長さ寸法は、桟木６よりも短い短尺にすることができ、例えば、桟木６の長さの１／５以下、又は、１／１０以下などにすることができる。断熱材支持具２０が短尺となることにより、複数の断熱材支持具２０を長尺の桟木６に取り付けることが可能になり、固定強度を高めることができる。
【０１０３】
断熱材支持具２０は、桟木６の長手方向に一定のピッチ（間隔）で設けられることが好ましい。複数の断熱材支持具２０が一定のピッチで設けられることにより、取り付け強度を高め、施工品質を安定にすることができる。また、１本の桟木６に対し、複数（例えば２個、３個、４個又は５個）の割合で断熱材支持具２０を取り付けてもよい。また、一つの断熱材７に対し、複数（例えば２個、３個、４個又は５個）の断熱材支持具２０を用いて固定してもよい。断熱材７の一方の端部が一の桟木６に設けられた断熱材支持具２０によって支持固定され、断熱材７の他方の端部が一の桟木６と隣り合う他の桟木６に設けられた断熱材支持具２０によって支持固定されていてもよい。断熱材７の両端が固定されることにより、取り付け強度が高くなって、断熱材７がズレたり浮いたりすることを抑制することができる。また、水平方向（桟木６の長手方向と垂直な方向）に並列された桟木６に対しては、断熱材支持具２０は、水平方向において略同じ位置で設けられるようにすることが好ましい。それにより、取り付け強度を高めることができる。
【０１０４】
図６（ｂ）は、断熱材支持具２０の形態の他の一例を示している。図６（ｂ）の断熱材支持具２０と、図１（ｂ）の桟木固定具１０とを用いることにより、図７（ｂ）の屋根下地構造を形成することができる。また、図６（ｂ）の断熱材支持具２０と、図２（ｂ）の桟木固定具１０とを用いることにより、図８（ｂ）の屋根下地構造を形成することができる。
【０１０５】
図６（ｂ）の断熱材支持具２０は、下り片２６の先端から折り返されて上方に延びる折返し片２８が設けられている以外は、図６（ａ）の形態と同様の構成を有している。すなわち、断熱材支持具２０は、被せ片２５とこの接合片２７の両端部から略垂直に下方に突出する下り片２６とを備えている。また、被せ片２５には接合穴２４が設けられており、被せ片２５によって桟木６と接合する接合部２１が構成されている。また、取り付けられた際には、下り片２６が桟木６よりも側方に配置しており、下り片２６の下端部によって支持部２２が構成されている。また、断熱材支持具２０は、被せ片２５によって桟木６を跨いで被せられて桟木６に接合されている。断熱材支持具２０は、二つの下り片２６と被せ片２５とによって全体として略逆Ｕ字状（左回り倒れコ字状）に形成されている。
【０１０６】
折返し片２８は、外側方に傾斜して上方に突出している。本形態では外側に折り返されて折返し片２８が形成されている（外折り）が、折返し片２８は、内側に折り返されて、内側方に傾斜して上方に突出する（内折り）ようにしてもよい。折返し片２８の長さは、特に限定されるものではないが、例えば、屋根下地構造を形成した際に、折返し片２８の先端（上端）が断熱材７から飛び出さない程度の長さであってよい。なお、折返し片２８は、片側のみの設けられていてもよいが、より強固に固定するためには、両側に設けられることが好ましい。
【０１０７】
本形態では、支持部２２は、下り片２６の下端部と折返し片２８によって構成されている。そして、支持部２２の下端には、下り片２６と折返し片２８との境界部分が存在している。そのため、下り片２６と折返し片２８とが折り返されて厚みの厚くなった部分において断熱材支持具２０を下方に押圧することができるため、押し付け力を高くすることができ、断熱材７が浮いたりずれたりするのをより効果的に抑制することができる。また、折返し片２８は、斜めに傾斜して設けられており、上方に行くほど下り片２６と折返し片２８との間の距離が長くなっているので、断熱材７が上方に移動しにくくなり、断熱材７の浮きをより抑制することができる。また、折返し片２８が断熱材７に埋め込まれるようにすると、折返し片２８の先端を断熱材７の内部で引っ掛けることができるので、断熱材７を動きにくくして、断熱材７の支持強度を高めることができる。
【０１０８】
図６（ｃ）は、断熱材支持具２０の形態の他の一例を示している。図６（ｃ）の断熱材支持具２０と、図１（ｂ）の桟木固定具１０とを用いることにより、図７（ｃ）の屋根下地構造を形成することができる。また、図６（ｃ）の断熱材支持具２０と、図２（ｂ）の桟木固定具１０とを用いることにより、図８（ｃ）の屋根下地構造を形成することができ
図６（ｃ）の断熱材支持具２０は、桟木６と接合する接合部２１と、取り付けられた際に桟木６の側方において断熱材７と接触する支持部２２とを有するものである。この断熱材支持具２０は、接合具４３によって桟木６に接合されている。また、断熱材７は、支持部２２によって下方に押さえられて支持されている。
【０１０９】
断熱材７は、断熱材支持具２０の支持部２２により面状に下方に押えられて支持されていることが好ましい一形態である。断熱材支持具２０の支持部２２を面状に押し込んで断熱材７を支持することにより、強度高く断熱材７を固定することができ、断熱材７が浮いたりずれたりすることを高く抑制することができる。
【０１１０】
図６（ｃ）の形態の断熱材支持具２０は、矩形状の金属板が折り曲げられて形成されている。この断熱材支持具２０は、合せ片２７と、押え片２９とを備えて構成されている。合せ片２７と押え片２９とは略垂直に金属板が折り曲げられて形成されており、断熱材支持具２０は、全体として略Ｌ字状に形成されている。合せ片２７は、桟木６の側面に合せられ配設されて桟木６に取り付けられる片である。また、押え片２９は、断熱材７を上方から下方に押圧する片である。金属材が折り曲げられて形成された各片（合せ片２７及び押え片２９）は、平坦な片となっている。そして、取り付けられた際には、合せ片２７が上部に、押え片２９が下部に配置され、押え片２９は外側方に突出しており、この突出する押え片２９によって支持部２２が構成されている。また、合せ片２７は、桟木６の側部に接合されるものであり、この合せ片２７によって接合部２１が構成されている。
【０１１１】
図６（ｃ）では、支持構造を分かりやすくするために、支持部２２が外側方に配置されるように二つの断熱材支持具２０を並べて図示している。二つの断熱材支持具２０は、一対となって桟木６の両側部に取り付けられるものであり、同じ形状のものを用いることができる。もちろん、二つの断熱材支持具２０は、異なる形状のものであってもよい。断熱材支持具２０が同じ形状の場合、取扱いが容易になる。
【０１１２】
押え片２９は断熱材７の上面（下野地板３の上面）と略平行な片となっている。そのため、断熱材支持具２０を取り付けた際には、押え片２９によって構成される支持部２２によって面状に断熱材７を押圧することができ、支持強度を高めることができる。
【０１１３】
合せ片２７の中央には、合せ片２７を貫通する接合穴２４が設けられている。本形態では、接合穴２４は幅方向に貫通する穴である。したがって、本形態では、接合具４３は側方から桟木６に打ちこまれる。なお、接合穴２４は複数設けられていてもよい。
【０１１４】
合せ片２７の高さ寸法（取り付けられた際の上下方向の長さ）は、通気層８の厚み以下、すなわち、断熱材７の上面と上野地板４の下面との間の距離以下であることが好ましい。合せ片２７の高さ寸法が大きいと、合せ片２７が上方に出っ張って上野地板４が取り付けにくくなるおそれがある。
【０１１５】
押え片２９の幅寸法は、特に限定されるものではないが、より長い方が押さえ性を向上することができるため、桟木６の幅寸法の１／２以上、桟木６の幅寸法以上、又は、桟木６の幅寸法の１．５倍以上などにすることができる。ただし、押え片２９の幅寸法が大きくなりすぎると取扱い性が低下するため、例えば、押え片２９の幅寸法は、桟木６の幅寸法の５倍以下、又は、３倍以下などにすることができる。
【０１１６】
断熱材支持具２０の長さ寸法は、図６（ａ）の形態と同様であってよい。また、断熱材支持具２０は、桟木６の長手方向に一定のピッチ（間隔）で設けられるものであってよい。
【０１１７】
本形態では、断熱材７の上面が押え片２９の下面に当接するようにして、断熱材支持具２０が取り付けられている。それにより、断熱材７が上方に浮くのを抑制することができる。このとき、支持部２２が下方に面状に押圧して断熱材７を押さえ込んで支持することが好ましい。それにより、固定強度を高くすることができ、断熱材７が横方向にずれるのを抑制することができる。
【０１１８】
本形態では、断熱材支持具２０は、桟木６を跨るものではないため、桟木６の各側部の構造をそれぞれ形成することが可能である。すなわち、桟木６の一側方に断熱材７と断熱材支持具２０とを取り付け、その後、桟木６の他側方に断熱材７と断熱材支持具２０とを取り付けるといったように、桟木６の側方の構造を個別に形成することができる。そのため、両側の断熱材７を敷設した後に断熱材支持具２０を取り付ける方法だけではなく、断熱材７と断熱材支持具２０とを逐次に取り付けるといった方法で施工することができ、施工方法のバリエーションを広げることができる。また、桟木６の両側部に断熱材支持具２０を取り付ける際に、一方の側部の断熱材支持具２０と他方の側部の断熱材支持具２０とを桟木６の長手方向に位置をずらして取り付けることができ、よりフレキシブルな施工を行うことができる。また、家屋の端部など、桟木６の一方にしか断熱材７を敷設しない場合などには、桟木６における断熱材７を敷設しない側の側方に、断熱材支持具２０を飛び出させることがなく断熱材支持具２０を取り付けることができる。また、桟木６を跨ぐような他の形態の断熱材支持具２０を家屋の中央部に用い、本形態の断熱材支持具２０を家屋の端部に用いるようにすることもできる。
【０１１９】
図６（ｄ）は、断熱材支持具２０の形態の他の一例を示している。図６（ｄ）の断熱材支持具２０と、図１（ｂ）の桟木固定具１０とを用いることにより、図７（ｄ）の屋根下地構造を形成することができる。また、図６（ｄ）の断熱材支持具２０と、図２（ｂ）の桟木固定具１０とを用いることにより、図８（ｄ）の屋根下地構造を形成することができる。
【０１２０】
図６（ｄ）の断熱材支持具２０は、下り片２６の下端部から折り曲げられて側方に延びる押え片２９が設けられている以外は、図６（ａ）の形態と同様の構成を有している。すなわち、断熱材支持具２０は、被せ片２５とこの被せ片２５の両端部から下方に突出する下り片２６とを備えている。また、被せ片２５には接合穴２４が設けられており、被せ片２５によって桟木６と接合する接合部２１が構成されている。また、断熱材支持具２０は、被せ片２５によって桟木６を跨いで被せられて桟木６に接合されている。断熱材支持具２０は、全体として略逆Ｕ字状（左回り倒れコ字状）に形成されている。
【０１２１】
本形態では、押え片２９は、下り片２６の先端から垂直に外側方に折り曲げられて形成されている。被せ片２５と押え片２９とは略平行な配置になっている。そして、屋根下地構造が形成された際には、押え片２９は、断熱材７の上面に当接する位置に配置されている。すなわち、取り付けられた際には、押え片２９が桟木６の側方に配置され断熱材７に接触しており、押え片２９によって支持部２２が構成されている。
【０１２２】
図６（ｄ）の形態の断熱材支持具２０は、図６（ｃ）の形態における断熱材支持金具２０を二つ並べて、合せ片２７の上端部同士を被せ片２５で連結した折り曲げ形状のものであってよい。そして、屋根下地構造では、支持部２２は差し込まれておらず、支持部２２を構成する押え片２９の下面で面状に下方に押えることによって、断熱材７を支持固定することができる。
【０１２３】
被せ片２５の寸法は、図６（ａ）の形態と同様であってよく、押え片２９の寸法は、図６（ｃ）の形態と同様であってよい。また、下り片２６の寸法は、図６（ｃ）の形態における合せ片２７と同様であってよいが、下り片２６が短すぎると押え片２９で断熱材７を押圧することができないので、下り片２６の高さ寸法（上下方向の長さ）は、通気層８の厚み程度であることが好ましい。
【０１２４】
図６（ｄ）の形態では、金属板を折り曲げて下り片２６と押え片２９とが形成されており、通気層８と同じ程度の幅（高さ寸法）で下り片２６を折り曲げ加工して形成することによって、通気層８の厚みを簡単に確保することができる。そして、断熱材支持具２０を桟木６に固定するだけで、支持部２２を構成する押え片２９で断熱材７を押えることができ、簡単に通気層８を形成することができる。
【０１２５】
図６（ｅ）は、断熱材支持具２０の形態の他の一例を示している。図６（ｅ）の断熱材支持具２０と、図１（ｂ）の桟木固定具１０とを用いることにより、図７（ｅ）の屋根下地構造を形成することができる。また、図６（ｅ）の断熱材支持具２０と、図２（ｂ）の桟木固定具１０とを用いることにより、図８（ｅ）の屋根下地構造を形成することができる。
【０１２６】
図６（ｅ）の断熱材支持具２０は、被せ片２５と、下り片２６と、折返し片２８と、押え片２９とを備えて構成されている。この断熱材支持具２０は、下り片２６の先端から折返し片２８及び押え片２９が形成された以外は、図６（ａ）の形態と同様の構成を有している。すなわち、断熱材支持具２０は、下り片２６が被せ片２５の両端部から下方に突出して形成されている。また、被せ片２５には接合穴２４が設けられており、被せ片２５によって桟木６と接合する接合部２１が設けられている。また、断熱材支持具２０は、被せ片２５によって桟木６を跨いで被せられて桟木６に接合されている。断熱材支持具２０は、全体として、略逆Ｕ字状（左回り倒れコ字状）に形成されている。そして、折返し片２８は、下り片２６の下端部から反対側に折り返されて上方に延伸するように設けられている。また、押え片２９は、折返し片２８の上端部から折り曲げられて側方に延伸するように設けられている。
【０１２７】
図６（ｅ）の形態では、取り付けられた際には、下り片２６の下部と、折返し片２８及び押え片２９とが桟木６の側方に配置されて断熱材７と接触する。したがって、下り片２６の下部と折返し片２８と押え片２９とによって支持部２２が構成されている。
【０１２８】
折返し片２８は、下り片２６が略１８０度折り返されて形成されている。折返しは内側方であってもよいが、押え片２９を外側方に突出させて設けるためには外側方に折り返す方が好ましい。また、押え片２９は、折返し片２８の上端から略垂直に折り曲げられて形成されている。被せ片２５と押え片２９は略平行な配置になっている。
【０１２９】
図６（ｅ）の形態の断熱材支持具２０を用いた場合には、支持部２２を構成する下り片２６の下部と折返し片２８とが断熱材７に差し込まれるとともに、支持部２２を構成する押え片２９によって断熱材７が面状に下方に押さえ込まれる。すなわち、支持部２２は、断熱材７に差し込んで支持する差込み支持部２２ａと、断熱材７を押さえて支持する押え支持部２２ｂとによって構成されている。したがって、支持部２２による支持強度が高まって、断熱材７が浮いたりずれたりするのを効果的に抑制することができ、断熱材７を強固に固定することができる。
【０１３０】
押え片２９の高さ方向の位置（折返し片２８と押え片２９との折り曲げ位置）は、屋根下地構造が形成された際に、断熱材７の上面に押え片２９が当接するような位置であることが好ましい。それにより、断熱材７を押え片２９で下方に押えることができる。
【０１３１】
なお、本形態では、押え片２９は断熱材７に対して押圧力をかけないものであってもよい。例えば、押え片２９と断熱材７との間に若干隙間が形成されていてもよい。その場合も、支持部２２（差込み支持部２２ａ）が差し込まれているので、断熱材７の浮きやずれを抑制することができる。また、断熱材７と押え片２９との隙間がわずかであれば、断熱材７が浮いたとしても押え片２９がすぐに接触するので、断熱材７が上方に浮き上がることを抑制することができる。ただし、押え片２９が当接する方が、より強く断熱材７を固定することができる。
【０１３２】
被せ片２５の寸法、及び、下り片２６の寸法は、図６（ａ）の形態と同様であってよく、押え片２９の寸法は、図６（ｃ）の形態と同様であってよい。
【０１３３】
図７及び図８の各屋根下地構造は、各形態の桟木固定具１０を用いて下野地部１に桟木６を取り付け、断熱材７を配設した後、桟木６に、各形態の断熱材支持具２０の接合部２１を配置して接合具４３を打ち付けることによって形成することができる。
【０１３４】
断熱材７の配設には、粘着テープで接着したり、釘やビスなどの固定部材を打ちつけたりして、断熱材７を固定してもよい。それにより、さらに強固に断熱材７を取り付けることができる。また、断熱材支持具２０を取り付ける際に、断熱材７が横ずれしたりすることを抑制することができる。また、補助断熱材４７を配設する場合には粘着テープで補助断熱材４７を接着することができる。補助断熱材４７の上方に桟木６が隙間なく配設されるようにすると、補助断熱材４７の浮きを抑制することができる。
【０１３５】
なお、桟木固定具１０の取り付け位置と断熱材支持具２０の取り付け位置とは、同じであってもよいし異なっていてもよい。例えば、桟木６の長手方向に、桟木固定具１０と断熱材支持具２０との取り付け位置をずらすようにしてもよい。図６（ｃ）の形態の断熱材支持具２０を用いる場合、桟木固定具１０の固定片３２の上端が断熱材支持具２０に当たる可能性がある。そのため、この場合、位置をずらして桟木固定具１０と断熱材支持具２０との取り付けを行うことができる。図８（ｃ）では、位置をずらして桟木固定具１０と断熱材支持具２０とが取り付けられた様子が示されている。その他の桟木固定具１０と断熱材支持具２０とを併用した構造では、同じ位置で桟木固定具１０と断熱材支持具２０とが取り付けられた様子が示されている。
【０１３６】
以上のように、桟木固定具１０を用いて屋根下地を形成することにより、施工容易で、施工品質が安定し、固定強度が高く、断熱性と通気性に優れた屋根下地構造を得ることができるものである。そして、さらに断熱材支持具２０を用いて屋根下地を形成することにより、さらに、施工容易で、施工品質が安定し、固定強度が高く、断熱性と通気性に優れた屋根下地構造を得ることができるものである。屋根下地構造は、外表面に瓦などの屋根表面部材が敷設されて、家屋の屋根が施工されるものである。
【符号の説明】
【０１３７】
１      下野地部
２      上野地部
３      下野地板
４      上野地板
５      垂木
６      桟木
７      断熱材
８      通気層
１０    桟木固定具
１１    固着部
１２    受入部
１３    受止部
１４    側出部
１５    固定穴
１６    固着穴
２０    断熱材支持具
２１    接合部
２２    支持部
２４    接合穴
２５    被せ片
２６    下り片
２７    合せ片
２８    折返し片
２９    押え片
３１    固着片
３２    固定片
３３    上り片
３４    受止片
４１    固着具
４２    固定具
４３    接合具
４７    補助断熱材
【図１】
0005993172.tif 000002
【図２】
0005993172.tif 000003
【図３】
0005993172.tif 000004
【図４】
0005993172.tif 000005
【図５】
0005993172.tif 000006
【図６】
0005993172.tif 000007
【図７】
0005993172.tif 000008
【図８】
0005993172.tif 000009
【図９】
0005993172.tif 000010